(57)【要約】【課題】簡易な方法により製造可能であると共に、過度な狙いの曲げ剛性を維持したままで魚の当たりを敏感に感知でき、過度な跳ね返りを抑えた調子を有する釣竿を提供する。【解決手段】本発明の釣竿は、合成樹脂を含浸した強化繊維で形成した竿杆本体１０に、粒子状の重量部材を一体的に形成したことを特徴とする。この場合、竿杆本体には、ソリッドタイプ、管状体を含む。【選択図】    図２
2004283021.tif 000002
【特許請求の範囲】
【請求項１】
合成樹脂を含浸した強化繊維で形成した竿杆本体に、粒子状の重量部材を一体的に形成したことを特徴とする釣竿。
【請求項２】
前記竿杆本体の最外層は、比重４以上の重量部材を混入させた繊維強化樹脂シートを巻回することで構成されていることを特徴とする請求項１に記載の釣竿。
【請求項３】
前記繊維強化樹脂シートの強化繊維は一軸配向繊維であり、円周方向、又は略円周方向に配向していることを特徴とする請求項２に記載の釣竿。
【請求項４】
前記竿杆本体は管状体であり、前記強化繊維は平織状の二軸配向繊維で構成されていることを特徴とする請求項１に記載の釣竿。
【請求項５】
テープ状の強化繊維に合成樹脂を含浸した繊維強化樹脂テープに前記重量部材を混入し、これを竿杆本体の最外周に巻回したことを特徴とする請求項１に記載の釣竿。
【請求項６】
前記重量部材の粒径は、強化繊維の繊維径よりも小さいことを特徴とする請求項１に記載の釣竿。
【発明の詳細な説明】
【０００１】
【発明の属する技術分野】
本発明は、管状、又はソリッド状に構成された釣竿に関する。
【０００２】
【従来の技術】
従来、例えば、船釣りを行なう場合、釣人は置き竿にして魚の当たりを待つことがある。置き竿は、図１に示すように、船の縁に釣竿固定装置１を装着し、所定のロック部分に釣竿５を保持することにより行なわれ、このとき、釣竿５は、仕掛けの重みにより撓んだ状態となる。このような置き竿をすると、船の上下動に伴って釣竿も上下動し、海中での仕掛けも上下動して、魚が掛かり易いような仕掛けの動きが実現される。
【０００３】
ところで、釣竿は、種類によって曲げ剛性が異なっており、曲げ剛性が低い釣竿（撓み易い釣竿）によれば、釣竿が上下動した際の揺れが吸収され、仕掛けに自然な動きを与えることが可能となる。しかしながら、曲げ剛性が低すぎると、魚が掛かった際の持ち上げパワーが弱くなって、魚を引き寄せ辛くなると共に、大撓みした際に、樹脂結晶構造がずれて残留歪（塑性曲がり）が発生するという問題がある。これに対し、釣竿の曲げ剛性を高くすると、船の上下動や人間のシャクリ動作に対する釣竿の追従性が良くなり、この結果、仕掛けも不自然に上下動してしまい、魚に警戒感や違和感を与えてしまって魚の掛かりが悪くなってしまう。
【０００４】
そこで、このような問題を解決すべく、特許文献１には、外層に減衰係数の大きい繊維糸条を綾巻き状に巻回することで、釣竿が上下動した際の振動の減衰性を向上し、仕掛けの上下動を自然に行なえるようにした構成が開示されている。或いは、釣竿表面に糸巻きや糸止め等によって重み付けを行ない、釣竿が上下動した際の揺動を抑制することも一般的に知られている。
【０００５】
【特許文献１】
実公平２−４６２８９号公報。
【０００６】
【発明が解決しようとする課題】
しかしながら、上記した減衰係数の大きい繊維糸条を綾巻きする構成では、釣竿の製造工数が多くなり、コスト高となってしまうと共に、本体が狙う剛性よりも硬くなって感度や微妙な当たりが取りづらくなることがある。また、糸巻きや糸止め等によって重み付けを行なう構成においても、製造工数が多くなってコスト高になってしまうと共に、糸巻きや糸止め部に剥離やヒビが入り易く、破損する恐れがある。
【０００７】
本発明は、上記した問題に基づいてなされたものであり、簡易な方法により製造可能であると共に、狙いの曲げ剛性を維持したままで魚の当たりを敏感に感知でき、過度な跳ね返りを抑えた調子を有する釣竿を提供することを目的とする。
【０００８】
【課題を解決するための手段】
上記した課題を解決するために、本発明に係る釣竿は、合成樹脂を含浸した強化繊維で形成した竿杆本体に、粒子状の重量部材を一体的に形成したことを特徴とする。
【０００９】
上記した構成によれば、粒子状の重量部材が竿杆本体に分散されるため、その重量によって、釣竿を上下動させた際の過度な跳ね返りが抑制される。そして、粒子状の重量部材を竿杆本体に分散させることで、狙いの曲げ剛性を維持することが容易となって、魚の当たりも敏感に感知できるようになる。
【００１０】
【発明の実施の形態】
以下、本発明に係る釣竿の実施形態を添付図面に沿って具体的に説明する。
本発明に係る釣竿は、図１に示すような外ガイド方式の他、中通し方式であっても良く、振出し式でも並継式でも良い。また、竿杆本体は、ソリッドタイプでも管状体でも良い。
【００１１】
図２及び図３は、本発明に係る釣竿の第１の実施形態を示す図であり、図２は縦断面図、図３は横断面図である。この実施形態では、図１のように、釣竿を構成する竿杆本体１０は、ソリッドタイプに形成されている。
竿杆本体１０は、パイプ状の金型の中に、炭素繊維、ガラス繊維等の強化繊維を束ねてエポキシ樹脂、ウレタン樹脂等の合成樹脂と共に封入し、加熱した後引き抜く、いわゆるプルトリュージョン製法によって形成された中心体１１と、この中心体１１の外周に繊維強化樹脂シート（プリプレグシート）１２を巻装することで形成されている。この場合、プリプレグシート１２は、予め粒子状の重量部材を分散混入したエポキシ樹脂、ウレタン樹脂等の合成樹脂の中に、一方向（周方向）に引き揃えられた強化繊維を通過させることで形成されており、中心体１１の外周に巻回した後、テープで固定し加熱することで中心体１１上に形成される。
【００１２】
合成樹脂の中に予め混入される重量部材は所定の重量を有するもの、すなわち、その重さによって充分な減衰作用が得られるよう、比重が４以上、好ましくは７以上の材料を粒子状に形成したものであり、引き揃えられた強化繊維の繊維間に広く分散される程度の大きさであることが好ましい。具体的には、粒子状にされた金属材料を用いることができ、例えば、金、銀、銅、真鍮、鉛、鉄、タングステン、モリブデン、ニッケル、白金、スズ、亜鉛、チタン、ＳＵＳ等を用いることが可能である。すなわち、このような粒子状の金属材料を合成樹脂の中に、予め満遍なく分散させておき、これに一方向に引き揃えられた強化繊維を浸すことで、プリプレグシート１２に均一に重量部材を分散させることが可能となる。この場合、粒状物の粒径を、混入される強化繊維の繊維径よりも小さくしておくことが好ましく、このような粒径にしておくことで、強化繊維間に粒子が入り込み、層厚を薄くできると共に、強化繊維にダメージを与え難く、強度低下が生じ難くすることができる。
【００１３】
上記したような構成によれば、竿杆本体１０は、外周側に重量部材を全体に亘って均一に分散させることができるため、振り調子を効果的に調整することができ、また、外周にそのような重量部材が分散されたプリプレグシート１２を巻回することで重量部分を一体的に形成できるので、部品取り付けの場合と比較して剥離を防止することができると共に、きわめて容易な製造工程によって成形することが可能となる。また、上記した構成では、外側の層（最外層）に粒子状の重量部材が混入されたプリプレグシート１２を巻装しているため、竿外径を細身に維持しつつ、振り調子を効果的に調整することが可能となる。
【００１４】
また、上記した実施形態では、最外層のプリプレグシート１２は、強化繊維が周方向となるように一方向に引き揃えられているため、曲げ剛性の変化を極力抑えて、振り調子を効果的に抑制することが可能となる。なお、強化繊維の配向方向は、厳密な周方向（軸長方向に対して９０°）に限定されることは無く、略周方向（軸長方向に対して±４５°以上のもの）であっても良いし、平織状の２軸配向繊維（配向方向は直交するものの他、斜交するものであっても良い）で構成されていても良い。このように、平織状にされた強化繊維を用いることで、マトリックス状になった繊維間に重量部材を保持することが可能となるため、効果的に薄肉厚で高比重の層を容易に形成でき、竿杆本体をより細径化することが可能となる。
【００１５】
図４及び図５は、上記実施形態の変形例を示す図であり、図４は縦断面図、図５は横断面図である。
この変形例では、中心体１１の外側に巻装される繊維強化樹脂シート１３を、強化繊維を周方向（上記した略周方向であっても良いし、平織状のものであっても良い）に引き揃えた基材１３ａに、上記した重量部材を満遍なく混入させた合成樹脂シート１３ｂを貼着して構成したものである。
このような構成例においても、上記した実施形態と同様な作用効果を得ることが可能となる。なお、基材１３ａを外層側に、合成樹脂シート１３ｂを内側にした構成であっても良い。
【００１６】
上記中心体１１は、上述したように、プルトリュージョン製法、或いはガラス管製法等によって成形することが可能であるが、この場合、強化繊維を束ねて合成樹脂と共に金型（ガラス管）に封入する際、合成樹脂に上記したような重量部材を予め混入させた構成であっても良い。このような構成によれば、中心体にプリプレグシートを巻回して、熱硬化する工程を省略することができるため、より簡単に竿杆本体を作製することが可能となる。
【００１７】
図６及び図７は、本発明の第２の実施形態を示す図であり、図６は竿杆本体の断面図、図７は竿杆本体を構成するプリプレグシートの構成を示す図である。この実施形態では、釣竿の竿杆本体２０は管状体に形成されている。
竿杆本体２０は、所定形状の芯金Ｍに対し、内層側に強化繊維を軸長方向に引き揃えたプリプレグシート２１を巻回し、かつその外側に、粒子状の重量部材を予め混入したエポキシ樹脂、ウレタン樹脂等の合成樹脂の中に、一方向（周方向であっても良いし、上記したような略周方向であっても良い）に引き揃えられた強化繊維を通過させることで形成されたプリプレグシート２２を巻回し、その後、常法にしたがって（テープ取着、加熱硬化、脱芯等の工程）、内側に軸長方向繊維層２１ａを形成し、外層側に重量層２２ａを形成したものである。
【００１８】
このように、管状体においても、上記したソリッドタイプと同様、重量部材が混入されたプリプレグシートを巻回するだけで振り調子を効果的に調整することができ、また、外周にそのような重量部材が分散されたプリプレグシート２２を巻回することで重量部分を一体的に形成できるため、部品取り付けの場合と比較して剥離を防止することができると共に、きわめて容易な製造工程によって成形することが可能となる。
なお、重量部材を軸長方向繊維層２１ａに混入して、内層側に重量層を形成しても良い。
【００１９】
図８及び図９は、上記した実施形態の第１の変形例を示す図であり、図８は竿杆本体の断面図、図９は竿杆本体を構成するプリプレグシートの構成を示す図である。
【００２０】
竿杆本体３０は、所定形状の芯金Ｍに対し、内層側に強化繊維を軸長方向に引き揃えたプリプレグシート３１を巻回し、かつその外側に、強化繊維を周方向（上記したような略周方向であっても良いし、平織状のものであっても良い）に引き揃えた基材３２ａに、上記した重量部材を満遍なく混入させた合成樹脂シート３２ｂを貼着して構成した繊維強化樹脂シート３３を巻回し、その後、常法にしたがって（テープ取着、加熱硬化、脱芯等の工程）、内側に軸長方向繊維層３１ａを形成し、外層側に重量層３３ａを形成したものである。この場合、重量部材を、内層側のプリプレグシート３１、すなわち軸長方向繊維層３１ａに混入して内層側に重量層を形成しても良い。
【００２１】
図１０は、上記した実施形態の第２の変形例を示す図であり、竿杆本体を構成するプリプレグシートの構成を示す図である。
この変形例では、平織状の２軸配向繊維（軸長方向に対して±４５°以上に構成された１軸配向繊維であっても良い）の基材４０ａに、上記した重量部材を満遍なく混入させた合成樹脂シート４０ｂを貼着して構成した繊維強化樹脂シートを巻回し、その後、常法にしたがって管状体を成形するものである。
上記したいずれの変形例においても、上述した実施形態と同様な作用効果を得ることが可能となる。
【００２２】
図１１は、本発明の第３の実施形態を示す図であり、竿杆本体の構成を示す図である。
この実施形態では、テープ状にした強化繊維に合成樹脂を含浸した、いわゆる繊維強化樹脂テープ５０に上記したような重量部材を混入し、これを竿杆本体の最外周に巻回して熱硬化させたものである。この場合、竿杆本体は、上記したようなソリッドタイプであっても良いし、管状体であっても良い。
【００２３】
このような繊維強化樹脂テープ５０を用いることで、細径部分に重量部材を設けることが容易に行なえると共に、釣竿の中の任意の個所に重量部材を容易に設けることが可能になる。
【００２４】
以上、本発明の実施形態について説明したが、上述した各実施形態におけるシート状部材、テープ状部材に混入される粒子状の重量部材は、釣竿の全体（穂先節から元節まで）に混入しても良いし、振りバランスが崩れない範囲で特定の節（例えば、穂先節のみ）に設けても良い。あるいは、各節の中の特定範囲に混入しても良い。
【００２５】
【発明の効果】
以上、本発明によれば、簡易な方法により製造可能であると共に、狙いの曲げ剛性を維持したままで魚の当たりを敏感に感知でき、過度な跳ね返りを抑えた調子を有する釣竿が得られる。
【図面の簡単な説明】
【図１】置き竿にした際の釣竿の撓み状態を示す図。
【図２】本発明に係る釣竿の第１の実施形態を示す図であり、竿杆本体の縦断面図。
【図３】竿杆本体の横断面図。
【図４】第１の実施形態の変形例を示す図であり、竿杆本体の縦断面図。
【図５】竿杆本体の横断面図。
【図６】本発明の第２の実施形態を示す図であり、竿杆本体の断面図。
【図７】竿杆本体を構成するプリプレグシートの構成を示す図。
【図８】第２の実施形態の第１の変形例を示す図であり、竿杆本体の断面図。
【図９】竿杆本体を構成するプリプレグシートの構成を示す図。
【図１０】第２実施形態の第２の変形例を示す図であり、竿杆本体を構成するプリプレグシートの構成を示す図。
【図１１】本発明の第３の実施形態を示す図であり、竿杆本体の構成を示す図。
【符号の説明】
１０，２０  竿杆本体
１２，２１，２２，３１  プリプレグシート
１３  繊維強化樹脂シート
５０  繊維強化樹脂テープ
【図１】
2004283021.tif 000003
【図２】
2004283021.tif 000004
【図３】
2004283021.tif 000005
【図４】
2004283021.tif 000006
【図５】
2004283021.tif 000007
【図６】
2004283021.tif 000008
【図７】
2004283021.tif 000009
【図８】
2004283021.tif 000010
【図９】
2004283021.tif 000011
【図１０】
2004283021.tif 000012
【図１１】
2004283021.tif 000013